(57)【要約】【課題】      サイズの異なる薄型ディスプレイに対して、一種類の取り付け構造で対応することができ、しかも、薄型ディスプレイの横付け又は縦付けに対しても強固に取り付けることが可能となる薄型ディスプレイ用のスタンドを提供する。【解決手段】  自立する支柱２の前面に固定した取付けブラケット３に、薄型ディスプレイＡのサイズに共通のベースフレーム４を縦横に取付け方向の向きが選択可能となるよう取付け、薄型ディスプレイＡの背面に固定する一対のアタッチメント５を平行状態で前記ベースフレーム４の張り出し部２１にボルトで固定する。【選択図】    図１
0003103390.tif 000002
【実用新案登録請求の範囲】
【請求項１】
自立する支柱に固定した取付けブラケットに、薄型ディスプレイのサイズに共通のベースフレームを縦横に取付け方向の向きが選択可能となるよう取付け、薄型ディスプレイの背面に固定する一対のアタッチメントを平行状態で前記ベースフレームにボルトで固定するため、前記ベースフレームにアタッチメントの取付け孔をアタッチメントの配置間隔が選択できるように複数設けた薄型ディスプレイ用のスタンド。
【請求項２】
上記取付けブラケットが、両側に対向する側壁を設けて形成され、上記ベースフレームが、この側壁間に嵌合する正方形となる枠体の両側にアタッチメントの取付け孔が複数形成された枠状の張り出し部を設けて形成され、前記側壁における上下位置の一方に、枠体をボルトで固定するボルトの挿通切り欠き溝と、他方に同ボルトを挿通する丸孔数ヶ所とが設けられ、上記枠体の外側面に、挿通切り欠き溝と丸孔数ヶ所がそれぞれ一致するねじ孔が設けられ、ベースフレームを取付けブラケットに前後の角度調整が可能に取付けるようになっている請求項１に記載の薄型ディスプレイ用のスタンド。
【請求項３】
上記支柱が両側縦パイプ間にパンチングプレートを張設して形成され、この支柱の前面側に取付ける機器設置トレイの取付けは、支柱の背面側にマグネット板を吸着させて、次いで支柱の表面側からトレイの後壁に設けた複数のねじ孔に、マグネット板とパンチングプレートのパンチング孔を貫通し、前記トレイ後壁にボルトを挿通してマグネット板とパンチングプレート、トレイの後壁とを固定した請求項１又は２記載の薄型ディスプレイ用のスタンド。
【請求項４】
上記支柱が、下端部に複数方向へ水平に張り出す支持脚を有し、各支持脚の下部に、移動用のキャスターと床面レベル調整用アジャスターが設けられている請求項１乃至３の何れかに記載の薄型ディスプレイ用のスタンド。
【請求項５】
上記アタッチメントが、断面コ字状の型材を用い、この型材に薄型ディスプレイへの固定ボルトの挿通孔と、張り出し部への固定用ボルトのねじ孔とをそれぞれ複数個設けて形成されている請求項１乃至４の何れかに記載の薄型ディスプレイ用のスタンド。
【請求項６】
上記ベースフレームの張り出し部における上下平行部のそれぞれに、アタッチメントへの固定ボルトの挿通孔が、アタッチメントと直交する方向に複数設けられている請求項２乃至５の何れかに記載の薄型ディスプレイ用のスタンド。
【考案の詳細な説明】
【技術分野】
【０００１】
この考案は、サイズやメーカの異なる薄型ディスプレイであっても、一種類の取り付け装置で起立状に設置することができるようにした薄型ディスプレイ用のスタンドに関する。
【背景技術】
【０００２】
薄型ディスプレイの設置は、スタンド方式、壁付け金具方式、吊り下げハンガー方式の何れかを採用されており、従来のスタンド方式は、ベースプレート上に支柱を立設し、この支柱に取付けたクランプ体の前面側に側面コ字状の連結具を設け、この連結具にピポット軸受を介して薄型ディスプレイのサイズに応じた薄型ディスプレイ固着体を設け、薄型ディスプレイを前後の角度が可変となるように取付ける構造になっている（例えば、特許文献１参照）。
【特許文献１】特開２００３−１７７６７６号公報
【考案の開示】
【考案が解決しようとする課題】
【０００３】
ところで、薄型ディスプレイには、多くの画面サイズがあり、このため、従来は、各サイズごとにそれに適合した薄型ディスプレイ固着体を用意する必要があり、このため、固着体の種類が多くなり、管理が面倒で製作コストが高くつくという問題がある。
【０００４】
また、従来の薄型ディスプレイ固着体は、薄型ディスプレイの固定方向が一定化しているため、取り付け状態の横付け、縦付けの取り付け方向の自由度に問題があった。
【０００５】
更に、スタンドには、その前面にＡＶ機器を設置するためのトレイを設ける場合が多く、しかも、薄型ディスプレイのサイズの多様性やＡＶ機器の操作性の問題で、このトレイの高さ位置を自由に変更する必要があるが、従来のトレイ取付け方法は、支柱の上下方向にトレイ取付け用の多数のねじ孔やスリットを設けることにより対応しているが、専用のねじ孔やスリットの数が多くなり、加工性の問題や美観の低下が発生していた。
【０００６】
また、スタンドは、移動性が要求される場合、下部にキャスターを設けることで移動自在とすることが行われているが、設置場所の床面の平面性の問題で、キャスターと床面の間に隙間が発生し、スタンドの安定性が著しく低下し、薄型ディスプレイは非常に重いため、この安定性の低下は安全上大きな問題となる。
【０００７】
そこで、この考案の課題は、サイズの異なる薄型ディスプレイに対して、一種類の取り付け装置で対応することができ、薄型ディスプレイの横付け又は縦付けに対しても強固に取り付けることが可能となり、しかも、トレイの取付けが一人での組み立て作業で可能となり、かつ、薄型ディスプレイの配置に対する安定性が向上した薄型ディスプレイ用のスタンドを提供することにある。
【課題を解決するための手段】
【０００８】
上記のような課題を解決するため、請求項１の考案は、自立する支柱に固定した取付けブラケットに、薄型ディスプレイのサイズに共通のベースフレームを縦横に取付け方向の向きが選択可能となるよう取付け、薄型ディスプレイの背面に固定する一対のアタッチメントを平行状態で前記ベースフレームにボルトで固定するため、前記ベースフレームにアタッチメントの取付け孔をアタッチメントの配置間隔が選択できるように複数設けた構成を採用したものである。
【０００９】
請求項２の考案は、上記取付けブラケットが、両側に対向する側壁を設けて形成され、上記ベースフレームが、この側壁間に嵌合する正方形となる枠体の両側にアタッチメントの取付け孔が複数形成された枠状の張り出し部を設けて形成され、前記側壁における上下位置の一方に、枠体をボルトで固定するボルトの挿通切り欠き溝と、他方に同ボルトを挿通する丸孔数ヶ所が設けられ、上記枠体の外側面に、挿通切り欠き溝と丸孔数ヶ所がそれぞれ一致するねじ孔が設けられ、ベースフレームを取付けブラケットに前後の角度調整が可能に取付けるようになっている構成を採用したものである。
【００１０】
請求項３の考案は、上記支柱が両側縦パイプ間にパンチングプレートを張設して形成され、この支柱の前面側に取付ける機器設置トレイの取付けは、支柱の背面側にマグネット板を吸着させて、次いで支柱の表面側からトレイの後壁に設けた複数のねじ孔に、マグネット板とパンチングプレートのパンチング孔を貫通し、前記トレイ後壁にボルトを挿通してマグネット板とパンチングプレート、トレイの後壁とを固定した構成を採用したものである。
【００１１】
請求項４の考案は、上記支柱が、下端部に複数方向へ水平に張り出す支持脚を有し、各支持脚の下部に、移動用のキャスターと床面レベル調整用アジャスターが設けられている構成を採用したものである。
【００１２】
請求項５の考案は、上記アタッチメントが、断面コ字状の型材を用い、この型材に薄型ディスプレイへの固定ボルトの挿通孔と、張り出し部への固定用ボルトのねじ孔とをそれぞれ複数個設けて形成されている構成を採用したものである。
【００１３】
請求項６の考案は、上記ベースフレームの張り出し部における上下平行部のそれぞれに、アタッチメントへの固定ボルトの挿通孔が、アタッチメントと直交する方向に複数設けられている構成を採用したものである。
【００１４】
ここで、一対のアタッチメントは、薄型ディスプレイの背面に設けられている取り付け孔を利用してボルトで固定し、この両側アタッチメントに張り出し部で固定するベースフレームは、張り出し部にアタッチメントへの固定ボルトの挿通孔が、アタッチメントと直交する方向に複数設けられているので、両側アタッチメントの配置間隔の変化に対応でき、これによって、ベースフレームに対してサイズの異なる薄型ディスプレイの固定が可能になる。
【００１５】
また、支柱のパンチングプレートは、パンチング孔が上下左右に所定の間隔で並び、トレイの後壁にボルトを挿通してパンチング孔の任意の個所で、トレイの取付け高さを自由に設定することができる。
【００１６】
更に、支柱の支持脚に設けたキャスターによって、スタンドは移動可能になると共に、設置場所の床面の平面性の問題で、キャスターと床面の間に隙間が発生した場合、ねじ式の床面レベル調整用アジャスターを接地させることにより、スタンドの安定性を向上させることができる。
【考案の効果】
【００１７】
請求項１の考案によると、薄型ディスプレイの背面に所定の間隔で平行状に固定する一対のアタッチメントはその配置間隔を自由に設定でき、この両アタッチメントをボルトで固定するベースフレームのアタッチメント取付け構造が、両側アタッチメントの配置間隔の変化に対応できるようになっているので、サイズの異なる薄型ディスプレイであっても、ベースフレームへの固定が可能になり、これによって、サイズの異なる薄型ディスプレイに対して、一種類のベースフレームで対応することができ、ベースフレームの種類を減らすことで経済的に有利となる。
【００１８】
また、一対のアタッチメントを固定するベースフレームは、取付けブラケットに対して縦横の取り付け方向に制限を受けないので、薄型ディスプレイの横付け又は縦付けの選択が自由に行え、横付け又は縦付けの何れの向きに対しても薄型ディスプレイを強固に取り付けることが可能となる。
【００１９】
請求項２の考案によると、取付けブラケットとベースフレームの関係により、ベースフレームに固定した薄型ディスプレイの前後の角度調整が可能になる。
【００２０】
請求項３の考案によると、支柱の前面に対して機器設置トレイの取付け高さ位置を上下に選択することができ、しかも、トレイの取付けは、支柱の背面側にマグネット板を吸着させて、次いで支柱の表面側からトレイの後壁に設けた複数のねじ孔に、マグネット板とパンチングプレートのパンチング孔を貫通し、前記トレイ後壁にボルトを挿通してマグネット板とパンチングプレート、トレイの後壁とを固定するものである。
【００２１】
従ってトレイの取付けが一人で組立て可能となり、組立て作業の省力化と能率向上が図れると共に、支柱にパンチングメタルを採用する事により全体の軽量化とデザインの向上が図れる。
【００２２】
請求項４の考案によると、支柱の支持脚に移動用のキャスターと床面レベル調整用アジャスターを設けたので、スタンドは移動可能になると共に、設置場所の床面の平面性の問題で、キャスターと床面の間に隙間が発生した場合、ねじ式の床面レベル調整用アジャスターを接地させることにより、スタンドの安定性を向上させることができる。
【００２３】
請求項５と６の考案によると、両側アタッチメントの配置間隔の変化に対応でき、これによって、ベースフレームに対してサイズの異なる薄型ディスプレイの固定が可能になる。
【考案を実施するための最良の形態】
【００２４】
自立する支柱に固定した取付けブラケットに、薄型ディスプレイのサイズに共通のベースフレームを縦横に取付け方向の向きが選択可能となるよう取付け、薄型ディスプレイの背面に固定する一対のアタッチメントを平行状態で前記ベースフレームの取付け孔にボルトで固定する。
【実施例１】
【００２５】
図示のように、薄型ディスプレイ用のスタンド１は、支柱２の上部に取付けブラケット３を上下位置調整可能に固定し、この取付けブラケット３の前面側に固定したベースフレーム４に一対のアタッチメント５を介して薄型ディスプレイＡを取り付けるようになっており、上記支柱２の前面側にＡＶ機器設置用のトレイ６が上下位置調整可能に取付けられている。
【００２６】
上記支柱２は、所定間隔を有する両側縦パイプ７間にパンチングプレート８を張設し、下端部に四方へ水平に張り出す支持脚９を有し、各支持脚９の先端下部に移動用のキャスター１０と、適宜支持脚９の下部に、回動操作によって上下動するねじ式の床面レベル調整用アジャスター１１を設けて形成されている。
【００２７】
上記パンチングプレート８には、多数のパンチング孔１２が上下左右に所定の間隔で並ぶように設けられている。
【００２８】
上記取付けブラケット３は、支柱２の両側縦パイプ７に外嵌する一対のガイド筒１３をもつ昇降ケース１４、この昇降ケース１４の前面で両側の位置に横断面Ｌ形のブラケット１５を垂直に固定し、ガイド筒１３をもつ昇降ケース１４の背面で両側にねじ込んだグリップボルト１６を縦パイプ７をねじ１６により、支柱２に対して上下任意の位置に固定することができるようになっている。
【００２９】
上記した両側のブラケット１５は、平面的に見てコ字状の配置となり、前方に突出する側壁１５ａが所定の間隔を設けて両側に対向し、この側壁１５ａの先端側には、下部位置に、先端縁で開放し、内端が下向きに屈曲するＬ字状に形成され、ブラケット１５にベースフレーム４をボルト１７で固定するための挿通切り欠き溝１８と、上部位置に、上記挿通切り欠き溝１８の内端を中心とする円弧状の配置となり、同様のボルト１７を挿通する複数個の丸孔１９とが設けられている。
【００３０】
従って、ベースフレーム４は、挿通切り欠き溝１８の内端に位置するボルト１７を支点として、取付けブラケット３に前後の角度調整が可能に取付けられるようになっている
【００３１】
上記ベースフレーム４は、両ブラケット１５の側壁１５ａ間に嵌合する正方形となる枠体２０の両側に枠状の張り出し部２１を設けて形成され、枠体２０の外側面には、平行する各辺のそれぞれに、枠体２０を両ブラケット１５の側壁１５ａ間に嵌合した状態で挿通切り欠き溝１８と複数個の孔１９がそれぞれ一致するねじ孔２２が設けられている。
【００３２】
上記ベースフレーム４は、枠体２０が正方形になっているので、両ブラケット１５間への取付け時に、張り出し部２１の突出方向を横向き又は縦向きの何れの向きにでも固定することができる。
【００３３】
上記ベースフレーム４における両側張り出し部２１の上下平行部には、固定ボルトによるアタッチメント５の取付け孔２３が長さ方向に沿って所定の間隔で複数設けられ、アタッチメント５の固定時に、アタッチメント５の配置間隔の変化に対応することができるようになっている。
【００３４】
上記薄型ディスプレイＡの背面に所定の間隔で平行状に固定する一対のアタッチメント５は、断面コ字状の金属製型材を用い、この型材に薄型ディスプレイＡへの固定ボルトの挿通孔２４と、ベースフレーム４の張り出し部２１に対する固定用ボルトのねじ孔２５とをそれぞれ複数個設けて形成されている。
【００３５】
上記支柱２に対するトレイ６の取り付けは、支柱２の背面側にマグネット板２９を吸着させて、次いで支柱２の表面側からトレイの後壁２６に設けた複数のねじ孔２７に、マグネット板２９とパンチングプレートのパンチング孔１２を貫通し、前記トレイ後壁２６にボルト３１を挿通してマグネット板２９とパンチングプレート８、トレイの後壁２６とを固定するものである。
【００３６】
従ってトレイ６の取付けが一人で組立て可能となり、組立て作業の省力化と能率向上が図れると共に、支柱にパンチングメタルを採用する事により全体の軽量化とデザインの向上が図れる。
【００３７】
この考案の薄型ディスプレイ用のスタンド１は、上記のような構成であり、薄型ディスプレイＡを取付けるには、先ず、薄型ディスプレイＡの背面で両側の位置に、それぞれ複数ずつ並べて設けられた取り付け用ねじ孔の位置にアタッチメント５を重ね、取り付け用ねじ孔にボルトをねじ込むことで、薄型ディスプレイＡの背面にアタッチメント５を平行状に固定する。
【００３８】
次に、ベースフレーム４を薄型ディスプレイＡの背面に位置させ、両側の張り出し部２１をアタッチメント５に重ね、アタッチメント５のねじ孔２５に挿通孔２３を位置合わせした状態で挿通孔２３からねじ孔２５にボルトをねじ込み、アタッチメント５にベースフレーム４を固定し、このベースフレーム４における枠体４の両側の側面で下部のねじ孔２２にボルト１７を、適当な長さだけ残した状態でねじ込んでおく。
【００３９】
上記ベースフレーム４の張り出し部２１には、アタッチメント５の固定ボルトの挿通孔２３が、アタッチメント５と直交する方向に複数設けられているので、両側アタッチメント５の配置間隔の変化に対応でき、これによって、サイズの異なる薄型ディスプレイＡに対してベースフレーム４の固定が可能になる。
【００４０】
また、支柱２の上部で所要高さ位置に取付けブラケット３を装着し、薄型ディスプレイＡの背面に位置するベースフレーム４の枠体２０を両側ブラケット１５の側壁１５ａ間に位置させ、上記したボルト１７を挿通切り欠き溝１８に嵌め合わせ、このボルト１７を挿通切り欠き溝１８の内端に位置させた状態で、枠体２０を両側ブラケット１５の側壁１５ａ間にはめ込み、側壁１５ａの上部に設けた数ヶ所の丸孔１９と枠体２０のねじ孔２２を合わせ、丸孔１９からねじ孔２２にボルト１７をねじ込み、取付けブラケット３に薄型ディスプレイＡを仮取付けした状態で、図１又は図２のように、薄型ディスプレイＡの前後角度を調整した後、上下のボルト１７をしっかりと締め付けることにより本固定を行い、薄型ディスプレイＡの取付けを完了する。
【００４１】
上記のように、薄型ディスプレイＡの背面に固定する一対のアタッチメント５はその配置間隔を自由に設定でき、この両アタッチメント５に固定ボルトで固定するベースフレーム４が、両側アタッチメント５の配置間隔の変化に対応できるように、張り出し部２１の上下平行部のそれぞれに、アタッチメント５への固定ボルトの挿通孔２３を、アタッチメント５と直交する方向に複数設けてあるので、サイズの異なる薄型ディスプレイＡに対してベースフレーム４の固定が可能になり、これによって、サイズの異なる薄型ディスプレイＡに対して、一種類のベースフレーム４取り付けが対応できることになる。
【００４２】
また、一対のアタッチメント５とこれに固定するベースフレーム４は、枠体２０が正方形となり、ブラケット１５間に対して二方向の何れでも嵌合させることができるので、ベースフレーム４の配置を、張り出し部２１が両側に位置する状態と、張り出し部２１が上下に位置する状態を選択でき、図１のような薄型ディスプレイＡの横方向の取り付け方向だけでなく、図６のように、薄型ディスプレイＡの縦方向の取り付けも可能になり、何れにおいても薄型ディスプレイＡを強固に取り付けることが可能となる。
【００４３】
また、薄型ディスプレイＡを取付けたスタンド１は、キャスター１０によって移動が容易に行えることになり、設置場所の床面の平面性の問題で、キャスター１０と床面の間に隙間が発生した場合、ねじ式の床面レベル調整用アジャスター１１を接地させることにより、スタンド１の安定性を向上させるようにする。
【図面の簡単な説明】
【００４４】
【図１】薄型ディスプレイ用スタンドの正面図
【図２】図１の右側面図
【図３】薄型ディスプレイの角度を調整した図１の右側面図
【図４】薄型ディスプレイ用スタンドの背面から見た斜視図
【図５】図１の矢印Ａ−Ａに沿うトレイの取付け構造を示す拡大した横断底面図
【図６】薄型ディスプレイを縦向きに取り付けた場合の薄型ディスプレイ用スタンドの正面図
【符号の説明】
【００４５】
１      スタンド
２      支柱
３      ブラケット
４      ベースフレーム
５      アタッチメント
６      トレイ
７      縦パイプ
８      パンチングプレート
９      支持脚
１０    キャスター
１１    床面レベル調整用アジャスター
１２    パンチング孔
１３    ガイド筒
１４    昇降ケース
１５    ブラケット
１６    グリップボルト
１７    ボルト
１８    挿通切り欠き溝
１９    複数個の孔
２０    枠体
２１    張り出し部
２２    ねじ孔
２３    取付け孔
２４    挿通孔
２５    ねじ孔
２６    後壁
２７    ねじ孔
２９    マグネット板
３０    孔
３１    ボルト
【図１】
0003103390.tif 000003
【図２】
0003103390.tif 000004
【図３】
0003103390.tif 000005
【図４】
0003103390.tif 000006
【図５】
0003103390.tif 000007
【図６】
0003103390.tif 000008